(57)【要約】【解決すべき課題】  画像処理装置の発光モジュールに用いられる光反射構造体を提供して、実質的に同じ輝度の反射光を発生する。【解決手段】  画像処理装置の発光モジュールに使われる光反射構造体を提供するものである。該構造体は光源と少なくとも１個の反射体を有している。反射体は光源の近傍に配置され、複数の反射領域とその表面に区画配置された陰影領域とを有しており、該陰影領域は光源から発光された光を反射しかつ吸収して、実質的に同じ輝度の光を発生する。【選択図】図１
2006074730.tif 000002
【特許請求の範囲】
【請求項１】
光源とその近傍に配置された少なくとも１個の反射体とを有してなり、該反射体は複数の反射領域とその表面上に区画配置されてかつ光源から発光される光を反射および吸収する陰影領域とを有しており、これにより実質的に同じ輝度の反射光を発生することを特徴とする画像処理装置の発光モジュールに用いる光反射構造体。
【請求項２】
反射体が光源の傍または下に配置されており、光源が線型陰極線チューブランプであり、反射体が反射ステッカーであることを特徴とする請求項１に記載の構造体。
【請求項３】
陰影領域が反射体の両端から中央部に漸次濃度分布を有していることを特徴とする請求項１に記載の構造体。
【請求項４】
陰影領域が反射体の両端から中央部に漸次面積分布を有しており、かつ陰影領域が反射体の両端から中央部に漸次濃度分布を有したグレースケール画像であることを特徴とする請求項３に記載の構造体。
【請求項５】
各陰影領域が縞形、円形、波形、長円形、三角形または方形であり、陰影領域が反射体の表面上に印刷または着色スプレーされていることを特徴とする請求項１に記載の構造体。
【請求項６】
画像処理装置がスキャナー、プリンター、コピー機またはファクシミリであることを特徴とする請求項１に記載の構造体。
【請求項７】
光源とその近傍に配置された少なくとも１個の反射体とを有してなり、該反射体は複数の反射領域とその表面上に区画配置されてかつ光源から発光される光を反射および吸収する陰影領域とを有しており、これにより実質的に同じ輝度の反射光を発生し、かつ陰影領域が反射体の両端から中央部に漸次濃度分布を有していることを特徴とする画像処理装置の発光モジュールに用いる構造体。
【発明の詳細な説明】
【技術分野】
【０００１】
この発明は光反射構造体に関するものであり、特に画像処理装置の発光モジュールに用いる光反射構造体に関するものである。
【背景技術】
【０００２】
一段の発達とともに電子製品はより強力となりその寸法は最小化に向けて発達している。これらの要求に加えて、電子製品は所望の品質を持たなければならない。例えば、反射スキャナーは広く使われて、不透明な対象を走査しかつ画像情報をアナログまたはデジタル形態に処理している。
【０００３】
不透明な対象を例示すると紙シ−トや写真などがある。よりよい画像品質を達成するには、スキャナーの構成要素を適正に選択・組立てする必要がある。周知のように、光源のタイプと反射光の輝度とはスキャナーの画像品質に影響する主たる要因である。
【０００４】
一般的なスキャナーはその下部ケース内に発光モジュールを有している。発光モジュールはその中に数個の光学的要素を有しており、光源、反射鏡、レンズセットおよび電荷結合デバイス（ＣＣＤ）などの光電変換素子を有している。スキャナーが操作されると、光源により発光された光はスキャナープラットフォーム（一般にはガラス台）上に配置された不透明対象上に投射される。
【０００５】
走査された対象から反射された光は発光モジュールに入射して反射鏡により反射される。レンズセットにより反射鏡から反射された光はＣＣＤ上に結像されてアナログまたはデジタル形態の電子信号に変換される。
【発明の開示】
【発明が解決しようとする課題】
【０００６】
スキャナー中に用いられる光源は通常線型陰極線チューブランプであり、発光モジュールとの運動方向と平行である。線型陰極線チューブランプの両端の輝度はその中央部分より弱いので、この光源により発光される光は走査された対象上には均一に投射されない。したがって走査された対象の画像品質は損なわれる。
【０００７】
光源の長さが増加すると、光源から発光された光の輝度はより均一となる。しかし長さが増加するとスキャナーの全体積が増加するので不利である。
【０００８】
この発明の目的は画像処理装置の発光モジュールに用いられる光反射構造体を提供して、実質的に同じ輝度の反射光を発生することにある。
【課題を解決するための手段】
【０００９】
この発明の第１の技術思想にあっては、画像処理装置の発光モジュールに使われる光反射構造体を提供するものである。該構造体は光源と少なくとも１個の反射体を有している。反射体は光源の近傍に配置され、複数の反射領域とその表面に区画配置された陰影領域とを有しており、該陰影領域は光源から発光された光を反射しかつ吸収して、実質的に同じ輝度の光を発生するのである。
【００１０】
一実施例においては、反射体は光源の脇または下に配置されている。
【００１１】
他の実施例においては、陰影領域は反射体の両端から中央部分に漸次濃度分布を有している。
【００１２】
他の実施例においては、陰影領域は反射体の両端から中央部分に漸次面積分布を有している。
【００１３】
他の実施例においては、陰影領域はグレースケール画像であって、反射体の両端から中央部分に漸次濃度分布を有している。
【００１４】
他の実施例においては、各陰影領域は縞形、円形、波形、長円形、三角形または方形を有している。
【００１５】
他の実施例においては、光源は線型陰極線チューブランプである。
【００１６】
他の実施例においては、反射体は反射ステッカーである。
【００１７】
他の実施例においては、陰影領域は反射体の表面に印刷または着色スプレーされている。
【００１８】
他の実施例においては、画像処理装置はスキャナー、プリンター、コピー機またはファクシミリである。
【００１９】
この発明の第２の技術思想においては、画像処理装置の発光モジュールに用いられる光反射構造体を提供するものである。光反射構造体は光源と少なくとも１個の反射体とを有している。
【００２０】
反射体は光源の傍に配置されて、複数の反射領域とその表面に区画配置された陰影領域とを有しており、該陰影領域は光源から発光された光を反射し吸収し、これにより実質的に同じ輝度の反射光を発生する。特に陰影領域は反射体の両端から中央部に漸次濃度分布を有している。
【発明の効果】
【００２１】
反射体の陰影領域は光源から発光された光を部分的に吸収でき、かつ反射体の両端から中央部へ漸次濃度分布を有しているので、光反射構造体からの光の輝度は実質的に同じに調整される。かくしてこの発明の光反射構造体から反射された光は走査された対象上に均一に分布され得る。
【００２２】
したがって、光源の長さを増加させる必要なしに、走査品質は大きく向上される。加えて反射体の表面上に陰影部分を形成するプロセスは簡単でありかつ費用効率が高い。反射体の形状は自由に選べる。反射体は長片形状の単面ステッカーであるのが望ましい。ステッカーはトレンチの底面または側面に添付される。
【発明を実施するための最良の形態】
【００２３】
この発明は光反射構造体に関するものであり、スキャナー、プリンター、コピー機またはファクシミリなどの画像処理装置に使われる。この構造体から発生された光は走査された対象上に均一に投射される。
【００２４】
図１にこの発明の一実施例を示す。光反射構造体は原理的には光源１１と反射体１２とを有している。光源１１は発光モジュール１０のトレンチ１０１に設けられている。この実施例では、発光モジュール１０はさらに反射鏡、レンズセットおよび電荷結合デバイス（ＣＣＤ）などの光電変換素子を有している。
【００２５】
反射鏡、レンズセットおよびＣＣＤ要素などの機能は上記したところである。この発明に用いる光源１１の一例は線型陰極線チューブランプである。反射体１２は光源１１の傍または下に配置されている。反射体１２の個数は１より多くてもよい。
【００２６】
スキャナーが操作されるとき、光源１１により発光された光は反射体１２から反射され、それから発光モジュール１０上方の走査プラットフォーム（図示せず）上に配置された不透明対象上に投射される。走査された対象から反射された光は発光モジュール１０中に入射して反射鏡により反射される。
【００２７】
レンズセットにより反射鏡から反射された光はＣＣＤ要素上に結像され、アナログまたはデジタル形態に変換される。図１の実施例では、光源１１は発光モジュール１０のトレンチ１０１上に配置され、反射体１２はトレンチ１０１の底面に取り付けられる。光源１１と反射体１２との間には隙間がある。
【００２８】
図２Ａに反射体の一例を示す。反射体１２は複数の反射領域１２０と陰影領域１２１とを有しており、該陰影領域は反射体１２の表面に区画配列されている。光源１１から発光された光は反射領域１２０から反射されるが、陰影領域１２１により吸収される。換言すると、反射領域１２０に入射した光のみが反射されて走査された対象上に投射され得るが、陰影領域１２１に入射した光は吸収されて反射されない。
【００２９】
この実施例では、陰影領域１２１は反射体１２の幅方向に沿って数個の縞を有している。特にこれらの陰影領域１２１は反射体１２の両端から中央部に漸次濃度分布を有している。換言すると、陰影領域１２１は中央部で比較的濃く、両端において比較的薄い。中央部の陰影領域１２１は両端より濃いので、光源１１の中央部から発光された光はより吸収される。かくして光源１１と反射体１２との組合せである光反射構造体からの光の輝度は実質的に同じに調整されて、走査対象のどこにでも均一に投射される。
【００３０】
図２Ｂに示す反射体の実施例にあっては、陰影領域１２１が反射体１２の長手方向に沿って数個のセグメント縞を有しており、反射体１２の両端から中央部に漸次濃度分布を有している。反射体１２の両端から中央部に漸次濃度分布を有している限りでは陰影領域１２１はいかなる形状であってもよい。
【００３１】
例えば陰影領域１２１の形状は円形、波形、長円形、三角形または方形であってよい。これに代えて、陰影領域１２１は反射体１２の両端から中央部へ漸次面積分布を有してもよい。換言すると、中央部の陰影領域１２１の面積は各端部のそれよりも比較的大きい。
【００３２】
さらに陰影領域１２１の密度は中央部から発光される光と両端から発光される光との強度差に応じて決められる。陰影領域は反射体の表面に印刷または着色スプレーされる。これに代えて、陰影領域は反射体１２の両端から中央部への漸次濃度分布を有したグレースケール画像であってもよい。
【産業上の利用可能性】
【００３３】
電子、電気および光学技術の分野において応用される。
【図面の簡単な説明】
【００３４】
【図１】この発明の一実施例の光反射構造体の斜視図である。
【図２Ａ】図１の光反射構造体に用いられる反射体の一例の模型図である。
【図２Ｂ】図１の光反射構造体に用いられる反射体の他の例の模型図である。
【図１】
2006074730.tif 000003
【図２Ａ】
2006074730.tif 000004
【図２Ｂ】
2006074730.tif 000005